(57)【要約】【課題】この発明はベッドの側方に水平の保持されるテーブル板を不使用時に容易に片付けることができるベッド装置を提供することにある。【解決手段】ヘッドボード３を有するベッド本体１と、ヘッドボードの背面の幅方向一端部に少なくとも上面及び幅方向の端面が開口して形成された収容部５と、収容部にヘッドボードの幅方向一端から出し入れ可能に設けられた支持板１１と、支持板の上部に回動可能に連結され支持板が収容部に収容されたときには垂直に起立した状態にあるテーブル板１４と、テーブル板に回動可能に設けられ支持板を収容部からヘッドボードの側方に引き出したときにテーブル板を水平に倒伏した状態で保持する脚部材とを具備する。【選択図】      図２
2007075491.tif 000002
【特許請求の範囲】
【請求項１】
ヘッドボードを有するベッド本体と、
上記ヘッドボードの背面の幅方向一端部に少なくとも上面及び幅方向の端面が開口して形成された収容部と、
上記収容部に上記ヘッドボードの幅方向一端から出し入れ可能に設けられた支持板と、
この支持板の上部に回動可能に連結され支持板が上記収容部に収容されたときには垂直に起立した状態で保持されるテーブル板と、
このテーブル板に回動可能に設けられ上記支持板を上記収容部から上記ヘッドボードの側方に引き出したときに上記テーブル板を水平に倒伏した状態で保持する脚部材と
を具備したことを特徴とするベッド装置。
【請求項２】
上記脚部材はＵ字状であって、その開放端側には係止部材が幅方向に架設され、上記テーブル板の下面には先端に係合部を有する保持部材が基端を回動可能に連結して設けられていて、
上記保持部材の係合部を上記係止部材に係合させることで、上記脚部材は上記テーブル板を水平に保持した状態で倒伏不能に保持されることを特徴とする請求項１記載のベッド装置。
【発明の詳細な説明】
【技術分野】
【０００１】
この発明はベッド本体の側方に小物類を載置するためのテーブル板を設けることができるベッド装置に関する。
【背景技術】
【０００２】
ベッド装置を利用する場合、たとえば水差し、照明スタンド或いは眼鏡などの種々の小物類を枕元に置くことができると便利である。そこで、ベッド装置の側方にナイトテーブルを設置し、このナイトテーブルの上面に上述した小物類を置くようにしている。
【０００３】
ベッド装置の側方に設置されるナイトテーブルは、通常、利用者が利用し易い枕元、つまりヘッドボードの近くに置くことが多い。
【発明の開示】
【発明が解決しようとする課題】
【０００４】
しかしながら、ナイトテーブルを使用しないときやヘッドボードの側方のスペースを有効に利用したい場合などには上記ナイトテーブルが邪魔になるから、邪魔にならない場所に移動させなければならないということがあり、不便であった。
【０００５】
この発明は、ナイトテーブルとして使用することができるテーブル板を不使用時にはヘッドボードの背面側に格納できるようにしたベッド装置を提供することにある。
【課題を解決するための手段】
【０００６】
この発明は、ヘッドボードを有するベッド本体と、
上記ヘッドボードの背面の幅方向一端部に少なくとも上面及び幅方向の端面が開口して形成された収容部と、
上記収容部に上記ヘッドボードの幅方向一端から出し入れ可能に設けられた支持板と、
この支持板の上部に回動可能に連結され支持板が上記収容部に収容されたときには垂直に起立した状態で保持されるテーブル板と、
このテーブル板に回動可能に設けられ上記支持板を上記収容部から上記ヘッドボードの側方に引き出したときに上記テーブル板を水平に倒伏した状態で保持する脚部材と
を具備したことを特徴とするベッド装置にある。
【０００７】
上記脚部材はＵ字状であって、その開放端側には係止部材が幅方向に架設され、上記テーブル板の下面には先端に係合部を有する保持部材が基端を回動可能に連結して設けられていて、
上記保持部材の係合部を上記係止部材に係合させることで、上記脚部材は上記テーブル板を水平に保持した状態で倒伏不能に保持されることが好ましい。
【発明の効果】
【０００８】
この発明によれば、ヘッドボードの背面の幅方向一端部に収容部を設け、この収容部にはテーブル板が回動可能に連結された支持板を出し入れできるように設けたから、上記テーブル板をヘッドボードの側方で水平に支持して利用したり、不使用時には支持板を収容部に格納することで、ベッド本体の側方から除去することができる。
【発明を実施するための最良の形態】
【０００９】
以下、この発明の第一実施の形態を図面を参照して説明する。
【００１０】
図１はこの発明のベッド装置の斜視図であって、このベッド装置はベッド本体１を備えている。このベッド本体１は上面にマットレス２が設けられ、長手方向一端にはヘッドボード３が立設されている。
【００１１】
図２に示すように、上記ヘッドボード３の背面の幅方向一端部には収容部５が設けられている。この収容部５は上記ヘッドボード３の背面と所定間隔で平行に離間対向した側板６を有する。この側板６は、上記ヘッドボード３の背面に下端が下部横部材７によって連結され、上端が上部横部材８によって連結されている。
【００１２】
下部横部材７は側板６の幅寸法とほぼ同じ長さ寸法であって、上面にはガイド溝７ａが形成されて断面Ｌ字状となっている。上記上部横部材８は上記側板６の幅寸法に比べて半分以下の長さ寸法に形成されていて、上記側板６の上記ヘッドボード３の幅方向内側に位置する一端部に設けられている。それによって、上記収容部５は幅方向の両端面及び上面の上記上部横部材８を除く部分である、上記ヘッドボード３の幅方向一端側の部分が開放している。
【００１３】
上記収容部５には、上記側板６よりも幅寸法の大きな支持板１１が下端を上記ガイド溝７ａにスライド可能に係合させて設けられている。この支持板１１は、図５に示すように幅方向一端部１１ａが他端部１１ｂに比べて高さ寸法が大きく形成されている。
【００１４】
支持板１１の背面の高さ方向中途部には幅方向に沿ってスライド部材１２が設けられている。このスライド部材１２は、上記側板６の内面の高さ方向中途部に幅方向に沿って設けられた受け部材１３にスライド可能に係合保持されている。
【００１５】
それによって、上記支持板１１は、図２に示すように幅方向の一端部１１ａが上記収容部５に収容された状態と、図３に示すように幅方向の一端部１１ａが上記収容部５からヘッドボード３の幅方向側方に引き出された状態との間でスライドさせることができるようになっている。  
なお、支持板１１はヘッドボード３の側方に引き出したとき、スライド部材１２の端部が受け部材１３に係合することで、収容部５から抜け出るのが阻止される。
【００１６】
上記支持板１１の幅方向一端部１１ａの上端にはテーブル板１４の一端部が回動可能に連結されている。すなわち、テーブル板１４は一端面を除く三方の端面にコ字状の飾り部材１５が設けられている。この飾り部材１５の両端部は上記テーブル板１４の一端面から突出している。そして、一対の飾り部材１５の両端部が上記支持板１の一端部１１ａの上部両側に一対の支軸１６（図２に１つのみ図示）によって回動可能に連結されている。
【００１７】
上記テーブル板１４は図２と図３に示すように支持板１１に対して起立した状態と、図４と図５に示すように支持板１１に対してほぼ直角に倒伏した状態との間で回動可能となっている。
【００１８】
図３に示すように、テーブル板１４を起立させたときのヘッドボード３の前面側を向いた面（この面を下面とし、反対側の面を上面とする。）の幅方向両端部には取り付け部材１７が幅方向と直交する方向に沿って設けられている。一対の取り付け部材１７にはパイプ材をＵ字状に曲成した脚部材１８の両端部が支軸１９（一方のみ図示）によって回動可能に取り付けられている。この脚部材１８の上部にはロッド状の係止部材２１が幅方向に架設されている。
【００１９】
上記一対の取り付け部材１７の上記脚部材１８の支軸１９が連結された部分から所定寸法下方には取り付け軸２２が回動可能に取り付けられている。この取り付け軸２２の両端部には、上記脚部材１８の幅寸法よりも小さな間隔で一対の保持部材２３の基端が連結されている。
【００２０】
上記保持部材２３の先端部には、上記脚部材１８を図３に示すようにテーブル板１４の下面に対して平行に倒伏した状態から、支軸１９を支点として図４に示すように起立方向にほぼ９０度回動させたときに、上記取り付け軸２２を支点として上記保持部材２３を回動させることで、上記脚部材１８の上部に架設された係止部材２１に係合する凹状の係合部２４が形成されている。
【００２１】
したがって、テーブル板１４がほぼ垂直に起立した状態で、脚部材１８をテーブル板１４の下面に対してほぼ直角に起立させてから、保持部材２４を回動させて先端の係合部２４を係止部材２１に係合させれば、上記脚部材１８がテーブル板１４の下面に対してほぼ直角に起立した状態で倒伏不能に保持される。
【００２２】
上記構成のベッド装置によれば、テーブル板１４を利用する場合には、図２に示すように、支持板１１が収容部５に収容された状態から、図３に示すようにヘッドボード３の幅方向一側から突出する位置に引き出す。
【００２３】
支持板１１を引き出したならば、テーブル板１４の下面に倒伏した状態にある脚部材１８を起立方向に約９０度回動させた後、同じくテーブル板１４の下面に倒伏した状態にある保持部材２３を起立方向に回動させる。それによって、保持部材２３の先端部に形成された係合部２４が係止部材２１に係合するから、脚部材１８がテーブル板１４の下面に対して直角に起立した状態で倒伏不能に保持される。
【００２４】
脚部材１８を保持したならば、保持部材１１に垂直に保持されたテーブル板１４を上記脚部材１８の下端が床面に付くまで倒伏方向に回動させる。それによって、テーブル板１４はベッド本体１の側方でほぼ水平に保持されるから、この上面を小物類の載置面として利用することができる。
【００２５】
テーブル板１４をベッド本体１の側方から除去したい場合には、このテーブル板１４を水平な状態から垂直に回動させる。ついで、保持部材２３をほぼ垂直となるまで回動させて先端の係合部２４を脚部材１８の係止部材２１から外す。それによって、脚部材８はテーブル板１４の下面に対してほぼ直角に起立した状態から図３に示すようにテーブル板１４の下面に対してほぼ平行な状態に倒伏する。
【００２６】
脚部材１８を倒伏させたならば、テーブル板１４を起立させた状態で支持板１１を収容部６内に収容する方向にスライドさせる。支持板１１及びテーブル板１４がヘッドボード３の側方に突出した状態から背面に隠れる位置までスライドさせると、支持板１１の他端部１１ｂよりも背の高い一端部１１ａの端面が上部横部材８に当たり、支持板１１のスライドが阻止される。
【００２７】
それによって、支持板１１及びテーブル板１４はヘッドボード３の背面側の収容部５に格納することができるばかりか、これら支持板１１とテーブル板１４がベッド装置の前面側から見えない状態になるため、外観的にも体裁がよい。
【００２８】
すなわち、このような構成によれば、テーブル板１４をヘッドボード３の側方に水平に保持して使用することができ、不要時にはヘッドボード３の背面側に格納することができる。しかも、使用時や不使用時には支持板１１をヘッドボードの背面の収容部５に出し入れするとともに、テーブル板１４を回動させるだけの操作でよいから、簡単な操作で使用したり、除去することができ、便利である。
【００２９】
しかも、ヘッドボード３の背面側の収容部５に収容するとき、テーブル板１４は起立状態で収容できる。そのため、テーブル板１４をヘッドボード３の背面側に収容する時の収容部５の奥行き寸法を支持板１１の厚さ寸法よりもわずかに大きくするだけでよい。つまり、収容部５の奥行き寸法を小さくできるから、ベッド装置を設置するために、従来よりも大きなスペースが必要になるということもない。
【図面の簡単な説明】
【００３０】
【図１】この発明の一実施の形態を示すベッド装置の斜視図。
【図２】テーブル板がヘッドボードの背面の収容部に格納された状態を示すヘッドボードの背面の斜視図。
【図３】テーブル板をヘッドボードの側方に引き出した状態を前面側から見たヘッドボードの幅方向一端部の斜視図。
【図４】ヘッドボードの幅方向一端部に引き出されたテーブル板を水平に倒伏させて保持した状態を前面側から見たヘッドボードの幅方向一端部の斜視図。
【図５】テーブル板を水平に倒伏させて保持した状態を背面側から見たヘッドボードの斜視図。
【符号の説明】
【００３１】
１…ベッド本体、３…ヘッドボード、５…収容部、１１…支持板、１４…テーブル板、１８…脚部材、２１…係止部材、２３…保持部材、２４…係合部。
【図１】
2007075491.tif 000003
【図２】
2007075491.tif 000004
【図３】
2007075491.tif 000005
【図４】
2007075491.tif 000006
【図５】
2007075491.tif 000007